(57)【要約】      （修正有）【課題】吸管の互換性を及び扱いやすさを維持しつつ、吸管一本あたりの吸水能力を向上させた吸管を提供する。【解決手段】吸管１は、消防ポンプの吸水に使用される吸管であって、吸管ホース２の内径寸法が８０ｍｍ〜８５ｍｍであり、吸管ホース２の両端には、消防用吸管の技術上の規格を定める省令における呼称が７５ｍｍ規格の結合金具３ａ、３ｂをそれぞれ取り付ける。【選択図】図１
0003143431.tif 000002
【実用新案登録請求の範囲】
【請求項１】
消防ポンプの吸水に使用される吸管において、
吸管ホースの内径寸法が８０ｍｍ〜８５ｍｍであり、
吸管ホースの両端には、消防用吸管の技術上の規格を定める省令における呼称が７５ｍｍ規格の結合金具がそれぞれ取り付けられていることを特徴とする吸管。
【請求項２】
結合金具は、消防ポンプの吸水口と結合する結合金具、吸管同士を結合する結合金具又は消防水利の送水口と結合する結合金具であることを特徴とする請求項１に記載の吸管。
【請求項３】
消防ポンプの吸水に使用される吸管において、
吸管ホースの内径が８０ｍｍ〜８５ｍｍであり、
吸管ホースの一端には、消防用吸管の技術上の規格を定める省令における呼称が７５ｍｍ規格の吸管用の結合金具が取り付けられており、
吸管ホースの他端には、前記省令における呼称が７５ｍｍ規格のろ過器具が取り付けられていることを特徴とする吸管。
【考案の詳細な説明】
【技術分野】
【０００１】
本考案は、消防ポンプの吸水に使用される吸管に関する。
【背景技術】
【０００２】
消防ポンプ自動車は水利から吸水するための吸管を備えている。現場に到着した消防士及び消防団員が行う作業の一つが吸管伸長である。消防士及び消防団員が吸管伸長を所定の手順に従って行う。
【０００３】
このような吸管には特開２００５−４８９２６の吸管ホースが使用されている。吸管は「消防用吸管の技術上の規格を定める省令」（以下「省令」とする）において規格が決まっており、現在消防活動で主流となっているＣＤ−Ｉクラスの消防ポンプ自動車には呼称が７５ｍｍ（吸管ホースの内径寸法が７６ｍｍ以上７９ｍｍ以下）の吸管が搭載されている。
【０００４】
消防ポンプ自動車では、現場での迅速な吸管伸長及び消防ポンプ自動車の内部の資機材収容スペース確保のため、吸管一本は消防ポンプ自動車の吸水口と常時結合した状態で消防ポンプ自動車の側面又は消防ポンプ自動車内部に設置された吸管巻取り装置（実登３１１７７００号）に収容されている。
【０００５】
一本の吸管による吸水量が放水量に対して不足する場合は、追加の吸管を所定の収容場所から取り出し、消防ポンプ自動車の吸水口に結合させ吸管伸長を行う。実際の消防活動の現場では、火災の状況に応じた放水量を確保するために、複数本の吸管を使用することもある。
【０００６】
実際の消防活動の現場では、使用する吸管を一本にするか二本にするかという判断が難しい場合がある。吸管の使用を一本と判断した後に、吸水量が不足した場合には、消防活動中にもう一本の吸管を追加投入しなければならない。消防ポンプ自動車１台当たりの人員は３、４人であり、放水等の消防活動中に吸管をもう一本追加投入するためには、少ない人員から吸管伸長を行う人員を割く必要がある。吸管伸長を行う人員を割くことによって、一秒を争う消防活動の現場で被害の拡大を招くおそれがある。
【０００７】
また、自然水利から複数本の吸管を使用して吸水を行う場合、エゼクターの操作が必要となり、そのエゼクターの操作には熟練を要する。
【０００８】
吸管一本あたりの吸水能力を向上させることによって、吸管が一本で充分な吸水量を確保できる場合が多くなる。一本の吸管で充分な吸水量を確保できると、吸管を追加投入する必要となる場合が少なくなるので、現場での消防士及び消防団員の迅速な消防活動が可能となるとともに現場での消防士及び消防団員の労力を低減し、現場での火災対応能力を向上させることができる。
【考案の開示】
【考案が解決しようとする課題】
【０００９】
そこで、吸管一本あたりの吸水能力を向上させるには、吸管の内径を長くする方法が考えられるが、「省令」において吸管の内径の寸法が定められている。
【００１０】
前述したようにＣＤ−Ｉクラスの消防ポンプ自動車には呼称が７５ｍｍ吸管ホースを有する吸管が備えられている。消防ポンプ自動車の吸水口は、７５ｍｍの吸管の結合金具に対応しているものが多く、吸管の先吸管側を結合する消火栓の口金（送水口）も７５ｍｍの吸管の結合金具に対応しているものが多い。
【００１１】
「省令」において、７５ｍｍの吸管ホースより一つ吸管ホースの内径を長い規格の呼称が９０ｍｍの吸管ホースを有する吸管（内径寸法８９ｍｍ以上９２ｍｍ以下）を使用すれば、吸管一本あたりの吸水能力が向上する。
【００１２】
しかしながら、９０ｍｍの吸管ホースは、７５ｍｍの吸管ホースに比べて太く、横断面の直径が大きいことから曲げにくいため、９０ｍｍの吸管ホースを有する吸管を消防ポンプ自動車の吸水口と常時結合した状態で消防ポンプ自動車の側面に収容する際の労力が増大してしまう。また、９０ｍｍの吸管ホースは横断面の直径が大きくなるため、消防ポンプ自動車に設置されている吸管巻取り装置に収容できなくなってしまう。
【００１３】
さらに、９０ｍｍの吸管ホースは、７５ｍｍの吸管ホースに比べて重くなってしまうので吸管伸長等の作業の際に扱いにくいという問題もある。消防ポンプ自動車の吸水口及び消火栓の口金（送水口）は７５ｍｍの吸管の結合金具に対応しているものが多く、９０ｍｍの吸管の結合金具を直接結合できない可能性がある。
【００１４】
このように、本来、吸管の互換性や性能を担保する目的で定められた「省令」ではあるが、その「省令」の規格によって、吸管の吸水能力を制限することとなってしまったり、吸管が太くなりすぎて扱いにくくなってしまったりするという問題がある。
【００１５】
上記点より本考案は、吸管の互換性を及び扱いやすさを維持しつつ、吸管一本あたりの吸水能力を向上させた吸管を提供することを目的とする。
【課題を解決するための手段】
【００１６】
上記課題を解決するため、請求項１の吸管は、消防ポンプの吸水に使用される吸管において、吸管ホースの内径寸法が８０ｍｍ〜８５ｍｍであり、吸管ホースの両端には、消防用吸管の技術上の規格を定める省令における呼称が７５ｍｍ規格の結合金具がそれぞれ取り付けられている。
【００１７】
請求項２の吸管は、結合金具が防ポンプの吸水口と結合する結合金具、吸管同士を結合する結合金具又は消防水利の送水口と結合する結合金具である。
【００１８】
請求項３の吸管は、消防ポンプの吸水に使用される吸管において、吸管ホースの内径が８０ｍｍ〜８５ｍｍであり、吸管ホースの一端には、消防用吸管の技術上の規格を定める省令における呼称が７５ｍｍ規格の結合金具が取り付けられており、吸管ホースの他端には、前記省令における呼称が７５ｍｍ規格のろ過器具が取り付けられている。
【考案の効果】
【００１９】
請求項１の吸管によれば、吸管ホースの内径寸法が８０ｍｍ〜８５ｍｍであることによって、「省令」における呼称が７５ｍｍ規格の吸管ホースに比べて、吸管一本あたりの吸水能力を向上させることができる。
【００２０】
「省令」における呼称が９０ｍｍ規格の吸管ホースに比べて、軽く、曲げやすいため扱いやすさが維持され、内径寸法が８０ｍｍ〜８５ｍｍの吸管ホースを有する吸管を消防ポンプ自動車の吸水口と常時結合した状態で消防ポンプ自動車の側面又は消防ポンプ自動車内部に設置された吸管巻取り装置（実登３１１７７００号）に収容することができる。
【００２１】
内径寸法が８０ｍｍ〜８５ｍｍの吸管ホースに「省令」における呼称が７５ｍｍ規格の結合金具を取り付けることができるので、吸管の互換性が維持され、吸管を既存の消防ポンプ自動車の吸水口等に結合させることができる。
【００２２】
請求項２の吸管によれば、結合金具が消防ポンプの吸水口と結合する結合金具であることによって、吸管をそのまま既存の消防ポンプ自動車の吸水口に結合させることができる。
【００２３】
また、結合金具が吸管同士を結合する結合金具であることによって、複数の吸管を結合させて延長することができる。
【００２４】
さらに、結合金具が消防水利の送水口と結合する結合金具によって、吸管をそのまま既存の消防水利の送水口に結合させることができる。
【００２５】
請求項３の吸管によれば、内径寸法が８０ｍｍ〜８５ｍｍの吸管ホースの一端に「省令」における呼称が７５ｍｍ規格の結合金具を取り付けることができるので、既存の結合金具を利用することができる。
【００２６】
また、内径寸法が８０ｍｍ〜８５ｍｍの吸管ホースの他端に「省令」における呼称が７５ｍｍ規格のろ過器具を取り付けることができるので、既存のろ過器具を利用し、自然水利から吸水を行うことができる。
【考案を実施するための最良の形態】
【００２７】
以下、本考案の第一実施形態について図面に基づいて説明する。図1は、本考案の一実施形態の吸管１を示す斜視図である。図２は、図１の吸管１の結合金具３ａ付近の断面図である。
【００２８】
図１に示すように消防ポンプの吸水に使用される吸管１は、吸管ホース２の内径寸法が８０ｍｍ〜８５ｍｍであり、吸管ホース２の両端には、「省令」における呼称が７５ｍｍ規格の結合金具３ａ、３ｂがそれぞれ取り付けられている。
【００２９】
吸管ホース２の内径寸法が８０ｍｍ〜８５ｍｍであることによって、「省令」における呼称が７５ｍｍ規格の吸管ホースに比べて、吸管一本あたりの吸水能力を向上させることができる。
【００３０】
表１は本実施形態の８０ｍｍ吸管ホース２を有する吸管１を用いて、放水側のノズル径を２６．０ｍｍ、２７．０ｍｍ、２８．０ｍｍ、３０．０ｍｍ又は３２．０ｍｍの場合における放水性能試験を行った結果である。表２は「省令」における呼称が７５ｍｍ規格の吸管ホースを有する吸管又を用いて、放水側のノズル径を２６．０ｍｍ、２７．０ｍｍ、２８．０ｍｍ、３０．０ｍｍ又は３２．０ｍｍの場合における放水性能試験を行った結果である。表１及び表２において、共通する測定条件は、気温１２℃、気圧１００４ヘクトパスカル、水温１８℃、吸水高さが３ｍ、ＮＦ７５型ハイブリッド型高圧二段バランスタービンポンプを使用したことである。
【表１】
0003143431.tif 000003
【表２】
0003143431.tif 000004
【００３１】
表１及び表２中の放水量は、吸管の吸水能力に依存する。表１及び表２の放水量を比較すると、表１の８０ｍｍの吸管ホース２を有する吸管１の方が表２の「省令」における呼称が７５ｍｍ規格の吸管ホースを有する吸管よりも吸水能力が向上していることが放水性能試験から明らかになった。
【００３２】
表３は、「省令」における呼称が７５ｍｍ規格の吸管ホース（表３中では「７０ｍｍの吸管ホース」と記載）、本実施形態の８０ｍｍの吸管ホース２及び「省令」における呼称が９０ｍｍ規格の吸管ホース（表３中では「９０ｍｍの吸管ホース」と記載）の単位メートルあたりの重量を示したものである。
【表３】
0003143431.tif 000005
【００３３】
吸管ホース２（８０ｍｍの吸管ホース）は、表３に示すように「省令」における呼称が９０ｍｍ規格の吸管ホースに比べて軽く７５ｍｍ吸管ホースとほとんど変わらない重量となっている。また、横断面の半径が小さいことから曲げやすいため扱いやすさが維持される。内径寸法が８０ｍｍ〜８５ｍｍの吸管ホースを有する吸管を消防ポンプ自動車の吸水口と常時結合した状態で消防ポンプ自動車の側面又は消防ポンプ自動車内部に設置された吸管巻取り装置（実登３１１７７００号）に収容することができる。
【００３４】
内径寸法が８０ｍｍ〜８５ｍｍの吸管ホース２に「省令」における呼称が７５ｍｍ規格の結合金具を取り付けることができるので、吸管の互換性が維持され、吸管１を既存の消防ポンプ自動車の吸水口等に結合させることができる。したがって、既存の消防ポンプ自動車の設備をそのまま活用することができる。
【００３５】
結合金具は、用途で分類すると消防ポンプの吸水口と結合する結合金具、吸管同士を結合する結合金具又は消防水利の送水口と結合する結合金具である。消防ポンプの吸水口と結合する結合金具、吸管同士を結合する結合金具及び消防水利の送水口と結合する結合金具は、互いに互換性があってもよい。
【００３６】
本実施形態の吸管１では、３ａは消防ポンプの吸水口と結合する結合金具であり、３ｂは消防水利の送水口と結合する結合金具である。
【００３７】
結合金具３ａが消防ポンプの吸水口と結合する結合金具であることによって、吸管１をそのまま既存の消防ポンプの吸水口に結合させることができる。また、結合金具３ｂが消防水利の送水口と結合する結合金具によって、吸管１を既存の消防水利の送水口に吸管１を結合させることができる。したがって、既存の消防水利の設備をそのまま活用することができる。
【００３８】
図２を参照して、吸管ホース２と結合金具３ａとの取り付け構造について詳細に説明する。結合金具３ａは支持部３１と支持部３１に回動可能に支持されている回動部３２とを有する。
【００３９】
支持部３１は中空となっている。支持部３１の中空となっている部分では、吸管ホース２の端部が挿入されている。さらに、吸管ホース２の内壁には、吸管ホース２を支持部３１に固定するための固定スリーブ４が配設されている。吸管ホース２は固定スリーブ４の外壁と支持部３１の内壁との間に挟まれた状態で固定されている。
【００４０】
支持部３１の内壁表面は断面視でギザギザになっており、固定スリーブ４の外壁と支持部３１の内壁との間に挟まれた吸管ホース２が容易に抜けることを防止することができる。
【００４１】
回動部３２も中空となっており、支持部３１の中空となっている部分と連通している。回動部３２の内壁表面にはネジ溝３３が形成されており、回動部３２を消防ポンプの吸水口に当接させて回動させることによって、吸管１と消防ポンプとを結合できるようになっている。
【００４２】
本実施形態では、結合金具３ａが消防ポンプの吸水口と結合する結合金具であり、結合金具３ｂが消防水利の送水口と結合する結合金具である場合について説明したが、これに限定されることなく、結合金具３ａ、３ｂが、消防ポンプの吸水口と結合する結合金具、吸管同士を結合する結合金具又は消防水利の送水口と結合する結合金具のいずれかであればよい。
【００４３】
さらに、本実施形態では、吸管ホース２の両端には、結合金具３ａ、３ｂがそれぞれ取り付けられている場合について説明したが、これに限定されることなく、吸管ホースの一端には、消防用吸管の技術上の規格を定める省令における呼称が７５ｍｍ規格の結合金具が取り付けられており、吸管ホースの他端には、省令における呼称が７５ｍｍ規格のろ過器具が取り付けられていてもよい。
【００４４】
吸管ホースの他端には、省令における呼称が７５ｍｍ規格のろ過器具が取り付けられていることによって、既存のろ過器具を利用し、自然水利から吸水を行うことができる。
【００４５】
さらに、本実施形態では、吸管１を一本使用する場合について説明したが、これに限定されることなく、複数本の吸管１を使用してもよい。
【図面の簡単な説明】
【００４６】
【図１】本考案の一実施形態の吸管１を示す斜視図である。
【図２】図２は、図１の吸管１の結合金具３ａ付近の断面図である。
【符号の説明】
【００４７】
１          吸管
２          吸管ホース
３ａ、３ｂ  結合金具
４          固定スリーブ
３１        支持部
３２        回動部
３３        ネジ溝
【図１】
0003143431.tif 000006
【図２】
0003143431.tif 000007